(57)【要約】      （修正有）【課題】光透過体の外部から見ると光透過体が弾けるような透明感のある光を放っているように見えると共に、光透過体の具象形状に従って透過体の表面各部で独特の屈折光が見られる発光アクセサリーを提供する。【解決手段】ＬＥＤによる発光部と該発光部の駆動回路部とこれ等に電力を供給する電源部とから成るＬＥＤライトが身の回り品に取り付けるためのクリップを備えているアクセサリーに於いて、前記発光部から発せられる光が具象形状を呈する光透過体の内部を透過し表面各部で屈折して出光するように、発光部が光透過体の背後に納められている。【選択図】図１
0003161581.tif 000002
【実用新案登録請求の範囲】
【請求項１】
ＬＥＤ（Ｌｉｇｈｔ  Ｅｍｉｔｔｉｎｇ  Ｄｉｏｄｅ）による発光部と該発光部の駆動回路部とこれ等に電力を供給する電源部とから成るＬＥＤライトが、衣服やバッグなどの身の回り品に取り付けるためのクリップを備えているアクセサリーに於いて、前記発光部から発せられる光が具象形状を呈する光透過体の内部を透過し表面各部で屈折して出光するように、前記発光部が前記光透過体の背後に納められていることを特徴とする、発光アクセサリー。
【請求項２】
前記発光部が前記光透過体の背後に設けた凹部の中に納められている請求項１に記載の発光アクセサリー。
【請求項３】
前記ＬＥＤライトまたは前記クリップがストラップを備えている請求項１に記載の発光アクセサリー。
【考案の詳細な説明】
【技術分野】
【０００１】  この考案はクリップを以て衣服やバッグなどの身の回り品に取り付けることが出来る、ＬＥＤライトの発光アクセサリーに関する。
【背景技術】
【０００２】  動物や有名なキャラクターや自動車などを模して具象形状としたアクセサリーが販売されている。またこのようなアクセサリーに電球を組み込んで光らせるようにしたものが提案されている。この内特開平１０−０５０１０２号のポケットライトのスイッチ装置に係るものであるが、このポケットライトは人形顔面形状等の任意意匠のケース内に発光ダイオード（ＬＥＤ：Ｌｉｇｈｔ  Ｅｍｉｔｔｉｎｇ  Ｄｉｏｄｅ）及び電池を内蔵している。また特開平０９−１６１５０１号の携帯用照明具はエレクトロルミネッセントランプを備えた器具本体の裏面にクリップを取り付けて成り、このクリップを以て任意箇所に容易に取り付けることが出来るものである。
【先行技術文献】
【特許文献】
【０００３】
【特許文献１】特開平１０−０５０１０２号公報（段落０００６を参照）
【特許文献２】特開平０９−１６１５０１号公報（図４を参照）
【考案の概要】
【考案が解決しようとする課題】
【０００４】  上述の特開平１０−０５０１０２号によれば、ケースの外形状は人形顔面等であるが、ケースの形状で工夫をこらしても今日ではあまり面白味が感じられない。また特開平０９−１６１５０１号によればエレクトロルミネッセントランプによって広い照射範囲が得られ、クリップによって衣服やバッグなど任意箇所に容易に取り付けることが出来るのではあるが、器具本体の形状に興趣が感じられないと言う問題がある。そこでこのエレクトロルミネッセントランプの部位を、例えば動物やキャラクターや自動車などの形状にすれば良いと思われるのであるが、コストが高くなる上に具象形状のエレクトロルミネッセントから発せられる光は均一であって光本来の透明感が感じられない。【０００５】  この考案の目的は、アクセサリーとして身の回り品に取り付けることが出来るも、そのアクセサリーが弾けるような透明感のある光を放つと共に、この光によってアクセサリーが引き立てられるような、おしゃれで現代的な発光アクセサリーを提供しようとするものである。
【課題を解決するための手段】
【０００６】  そこでこの考案の発光アクセサリーは、ＬＥＤ（Ｌｉｇｈｔ  Ｅｍｉｔｔｉｎｇ  Ｄｉｏｄｅ）による発光部と該発光部の駆動回路部とこれ等に電力を供給する電源部とから成るＬＥＤライトが、衣服やバッグなどの身の回り品に取り付けるためのクリップを備えているアクセサリーに於いて、前記発光部から発せられる光が具象形状を呈する光透過体の内部を透過してこの光透過体の表面各部で屈折して出光するように、前記発光部が前記光透過体の背後に納められていることを特徴とするものとした。なお光透過体には水晶やガラスやアクリル樹脂などの透明な素材が任意に用いられる。あるいは透明な液体を充填した透明ケースなども用いることが出来る。また泡を内包する琥珀を模した合成樹脂素材になる光透過体を用いると泡の所でも光が屈折するので興味深いものとなる。【０００７】  この発光アクセサリーの電源をＯＮにすると、電源部から電力が供給され、駆動回路部の処理によってＬＥＤの発光部が明るい光を放つ。この発光は光透過体の背後で起こるため光透過体の内部を透過することになる。このため光透過体の外部からは光透過体が弾けるような透明感のある光を放っている状態が見られる。さらにこの光透過体の形状（すなわちキャラクターなどの具象形状）に従って、透過体の表面各部で屈折光が見られる点が大きな特徴となっている。なおＬＥＤは単色としても複数色としても良い。また駆動回路部の設計によってＬＥＤの光り方を変化に富んだものとすることが可能である。なおこの発光アクセサリーはクリップによって衣服やバッグなどの身の回り品に取り付けることが出来る。【０００８】  さて前記発光部が前記光透過体の背後に設けた凹部の中に納められるように設計すると良い。あるいは前記ＬＥＤライトまたは前記クリップがストラップを備えているようにすると良い。【０００９】  光透過体の背後に設けた凹部の中に発光部を納めてしまうことにより、この考案の発光アクセサリーを発光部の分だけ小型化することが出来る。また光透過体のより深い部位から発光しているように見せる作用がある。【００１０】  またＬＥＤライトまたはクリップがストラップを備えていれば、このストラップによってバッグから下げたり携帯電話機に取り付けたりすることが可能になる。
【考案の効果】
【００１１】  この考案によれば、クリップにより身の回り品に取り付けることが出来、ＬＥＤの発光が光透過体の背後で起こるため光透過体の内部を透過することになり、光透過体の外部からは光透過体が弾けるような透明感のある光を放っているように見えると共に光透過体の具象形状に従って光透過体の表面各部で独特の屈折光が見られるため、ＬＥＤの光によって引き立てられる、おしゃれで現代的な発光アクセサリーを提供することが出来る効果を奏する。
【図面の簡単な説明】
【００１２】
【図１】  実施例１を側面視した説明図である。
【図２】  実施例１の光透過体４を正面視した説明図である。
【図３】  実施例１の電子回路の説明図である。
【図４】  実施例２の光透過体５を側面視した説明図である。
【考案を実施するための形態】
【００１３】  以下に説明する２種類の実施例以外にも種々設計が可能であるから、この考案はこれ等の実施例に限定されるものではない。
【実施例１】
【００１４】  この実施例の発光アクセサリーは駆動回路部としての回路基板２上にＩＣを用いて設計した点灯回路（ステップアップコンバータ）２２が構成されており、電源部には１．５Ｖのアルカリボタン電池２１が用いられている。発光部であるＬＥＤ２０はマルチバイブレータ用のＩＣを用いてコイルに流れる電流を高周波でスイッチングすることにより発生する逆起電力により駆動される（図３）。【００１５】  ケーシング１に納められた回路基板２上には、前記点灯回路２２やアルカリボタン電池２１やＬＥＤ２０やスイッチ２３が取り付けられて相互に配線されている。ケーシング１の前記ＬＥＤ２０が位置する部位には開口部１０が設けられている。ケーシング１の前記開口部１０側の面には熊の顔面形状を模した透明度の高いアクリル製モデル４が接着されている。またケーシング１の前記開口部１０側とは反対側の面にはクリップ３がその背面板３１にて接着されている。符号３０は図示しないコイルバネを備えたピンを示し、これによりクリップ３は開閉自在であると共に常には背面板３１側に閉じるように付勢されている。なお前記背面板３１にはストラップ５が接続されている（図１）。このストラップ５を用いてバッグや携帯電話機などに取り付けることが可能である。【００１６】  この発光アクセサリーはクリップ３を以て衣服やバッグと言った身の回り品に取り付けることが出来る。こうしておいてスイッチ２３をＯＮにするとＬＥＤ２０が光り始める。ＬＥＤ２０から発せられた光は、ケーシング１の開口部１０から透明度の高いアクリル製モデル４に向けて照射される。アクリル製モデル４には熊の顔面形状に模した起伏があるが、これがためにこの起伏をレンズ状部４０と称することにする。従ってＬＥＤ２０からの光はアクリル製モデル４各部のレンズ状部４０で屈折して、アクリル製モデル４の表面からそれぞれの方向へ出光する。図２では矢状鎖線の先端部が指す位置毎に異なる屈折をすることが表されている。またこのことは図１の矢状鎖線にても示されている。【００１７】  このようにアクリル製モデル４があることによりＬＥＤ２０の発光がアクリル製モデル４の背後で起こり、光はアクリル製モデル４の内部を透過するために、弾けるような透明感のある光を見ることが出来る。また矢状鎖線で示したようにアクリル製モデル４の表面各部で独特の屈折光を見ることが出来るのである。
【実施例２】
【００１８】  この実施例のガラス製モデル６は上述したアクリル製モデル４とほぼ同一の形状のものであって具象形状の起伏がレンズ状部６０となっているが、背面中央部にＲＧＢ−ＬＥＤ７が入る大きさの凹部６１が設けられている点で異なっている。なおＲＧＢ−ＬＥＤ７は発光色がカラーのものである。【００１９】  この実施例によれば、ＲＧＢ−ＬＥＤ７が凹部６１からガラス製モデル６の内部に入り込んでいるため、ガラス製モデル６の深部から発光しているように見える。ガラスは透明度が高く、この考案の発光アクセサリーに対する適正が良好である。このように深部から発光する弾けるような透明感のある光がガラス製モデル６の表面各部で屈折して、見る者に一種独特の興趣を催させる。
【産業上の利用可能性】
【００２０】  この考案ではＬＥＤ以外の半導体発光素子を用いても良い。半導体発光素子にはエレクトロルミネッセンス（ＥＬ：ＥｌｅｃｔｒｏＬｕｍｉｎｅｓｃｅｎｃｅ）やレーザーダイオード（ＬＤ：ＬａｓｅｒＤｉｏｄｅ）が含まれる。
【符号の説明】
【００２１】  １    ケーシング
１０  開口部
２    回路基盤
２０  ＬＥＤ
２１  アルカリボタン電池
２２  点灯回路
２３  スイッチ
３    クリップ
３０  ピン
３１  背面板
４    アクリル製モデル
４０  レンズ状部
５    ストラップ
６    ガラス製モデル
６０  レンズ状部
６１  凹部
７    ＲＧＢ−ＬＥＤ
【図１】
0003161581.tif 000003
【図２】
0003161581.tif 000004
【図３】
0003161581.tif 000005
【図４】
0003161581.tif 000006